(57)【要約】【課題】複数の画像データに対して１つの音声データを容易に録音して関連付けることである。【解決手段】撮影装置としてのデジタルカメラ１００において、操作入力を受け付ける撮影ボタン３を含む操作手段１１と、被写体を撮影して画像データを生成する撮影手段４と、音声を録音して音声データを生成する録音手段６と、情報を記録する記録手段１０と、撮影ボタン３を介する１回の撮影操作で撮影手段４に１つの画像データを撮影させることを繰り返し、撮影された複数の画像データの撮影後に、録音手段６に録音させて、その録音した音声データを前記複数の画像データに関連付けて記録手段１０に記録する制御手段としてのメイン制御手段１と、を備える。【選択図】図１
2005341255.tif 000002
【特許請求の範囲】
【請求項１】
操作入力を受け付ける操作手段と、
被写体を撮影して画像データを生成する撮影手段と、
音声を録音して音声データを生成する録音手段と、
情報を記録する記録手段と、
前記操作手段を介する１回の撮影操作に基づいて前記撮影手段に１つの画像データを撮影させることを繰り返し、その複数の画像データの撮影後に、前記録音手段に録音させて、その録音した音声データと前記複数の画像データとを関連付けて前記記録手段に記録する制御手段と、を備えることを特徴とする撮影装置。
【請求項２】
前記制御手段は、前記記録手段に画像データを記録するための空き容量がなくなった場合に、又は所定数の画像データが撮影された場合に、前記録音手段に録音させることを特徴とする請求項１に記載の撮影装置。
【請求項３】
前記制御手段は、前記操作手段を介して録音指示が入力された場合に、前記録音手段に録音させることを特徴とする請求項１に記載の撮影装置。
【請求項４】
前記制御手段は、前記音声データを前記記録手段に記録する場合に、その音声データの録音位置を示す録音位置情報を前記音声データとともに前記記録手段に記録し、新たに音声データと画像データとを関連付ける場合に、前記記録手段に記録された前回の録音位置情報を参照し、その前回の録音位置以後に撮影された複数の画像データと前記音声データとを関連付けることを特徴とする請求項１から３のいずれか一項に記載の撮影装置。
【請求項５】
操作入力を受け付ける操作手段と、
被写体を撮影して画像データを生成する撮影手段と、
音声を録音して音声データを生成する録音手段と、
情報を記録する記録手段と、
前記操作手段を介する撮影操作に基づいて前記撮影手段に複数の画像データを撮影させ、その撮影とともに、画像データの再生時に録音させる位置を示す区切り情報の生成指示入力を前記操作手段を介して受け付け、その区切り情報を生成して前記複数の画像データとともに前記記録手段に記録する制御手段と、を備えることを特徴とする撮影装置。
【請求項６】
画像データを表示する表示手段と、
音声を録音して音声データを生成する録音手段と、
情報を記録する記録手段と、
前記表示手段に複数の画像データを再生させた後に、前記録音手段に録音させて、その録音した音声データと前記再生された複数の画像データとを関連付けて前記記録手段に記録する制御手段とを備えることを特徴とする再生装置。
【請求項７】
操作入力を受け付ける操作手段を備え、
前記制御手段は、前記表示手段により再生される画像データのうちから、前記録音した音声データと関連付ける複数の画像データの選択入力を前記操作手段を介して受け付け、当該選択された複数の画像データと、前記音声データとを関連付けることを特徴とする請求項６に記載の再生装置。
【請求項８】
画像データを表示する表示手段と、
音声を録音して音声データを生成する録音手段と、
情報を記録する記録する記録手段と、
複数の画像データを前記表示手段に再生させ、画像データの再生時に録音させる位置を示す区切り情報が設定されている場合に、当該区切り情報に基づいて、前記録音手段に録音させ、その録音した音声データと、前記区切り情報により区切られた複数の画像データとを関連付けて前記記録手段に記録する制御手段と、を備えることを特徴とする再生装置。
【請求項９】
コンピュータに、
操作入力を受け付ける機能と、
１回の撮影操作に基づいて１つの画像データを撮影することを繰り返す機能と、
その複数の画像データの撮影後に、音声を録音し、その録音した音声データと前記複数の画像データとを関連付けてメモリに記録する制御機能と、
を実現させるための撮影プログラム。
【請求項１０】
前記制御機能は、前記メモリに画像データを記録するための空き容量がなくなった場合に、又は所定数の画像データが撮影された場合に、前記録音をすることを特徴とする請求項９に記載の撮影プログラム。
【請求項１１】
前記制御機能は、録音指示が操作入力された場合に、前記録音をすることを特徴とする請求項９に記載の撮影プログラム。
【請求項１２】
前記制御機能は、前記音声データを記録する場合に、その音声データの録音位置を示す録音位置情報を前記音声データとともに前記メモリに記録し、新たに音声データと画像データとを関連付ける場合に、前記メモリに記録された前回の録音位置情報を参照し、その録音位置以後に撮影された複数の画像データと前記音声データとを関連付けることを特徴とする請求項９から１１のいずれか一項に記載の撮影プログラム。
【請求項１３】
コンピュータに、
操作入力を受け付ける機能と、
撮影操作に基づいて複数の画像データを撮影する機能と、
その撮影とともに、画像データの再生時に録音させる位置を示す区切り情報の生成指示入力を受け付け、その区切り情報を生成して前記複数の画像データとともにメモリに記録する制御機能と、
を実現させるための撮影プログラム。
【請求項１４】
コンピュータに、
複数の画像データを表示して再生する機能と、
前記複数の画像データを再生させた後に、音声を録音し、その録音した音声データと前記再生された複数の画像データとを関連付けてメモリに記録する制御機能と、
を実現させるための再生プログラム。
【請求項１５】
前記コンピュータに、
操作入力を受け付ける機能を実現させ、
前記制御機能は、前記再生される画像データのうちから、前記録音した音声データと関連付ける複数の画像データの選択入力を受け付け、当該選択された複数の画像データと、前記音声データとを関連付けることを特徴とする請求項１４に記載の再生プログラム。
【請求項１６】
コンピュータに、
複数の画像データを表示して再生させる機能と、
画像データの再生時に録音させる位置を示す区切り情報が設定されている場合に、当該区切り情報に基づいて、録音し、その録音した音声データと、前記区切り情報により区切られた複数の画像データとを関連付けて前記メモリに記録する制御機能と、
を実現させるための再生プログラム。
【発明の詳細な説明】
【技術分野】
【０００１】
本発明は、撮影装置、再生装置、撮影プログラム及び再生プログラムに関する。
【背景技術】
【０００２】
近年、デジタルカメラの高画質化及び多機能化は急速に進んでいる。このため、デジタルカメラのショット数も急速に伸び、アナログカメラのショット数の６倍以上も撮られるようになった。しかしながら、プリントとして保管する人は少なく、ＰＣ（Personal Computer）などに保管する人が多いため、画像をアルバムとして管理する意識が薄れ、整理することがなくなってきた。
【０００３】
一方、最近のデジタルカメラには、撮影した静止画像データに対して、音声情報を録音して対応付けるものが考えられている（例えば、特許文献１、特許文献２、特許文献３及び特許文献４参照）。
【特許文献１】特開平９−９８３６３号公報
【特許文献２】特開平９−９８３６７号公報
【特許文献３】特開平９−９８３７３号公報
【特許文献４】特開平９−９８３７４号公報
【発明の開示】
【発明が解決しようとする課題】
【０００４】
しかし、従来の上記音声情報を静止画像データに対応付けする構成では、１度の撮影操作で撮影した画像データごとに１つの音声データしか対応付けできないという問題があった。また、上記音声データを静止画像データに対応付けする機能により、撮影した静止画像データに対して、後からアフレコ情報を録音し、その音声情報を画像の整理に役立たせることもできる。しかし、従来の構成では、撮影したモードを再生しながら音声情報を入れねばならず、操作が非常に煩雑になるという問題があった。
また、大量の静止画像撮影をした後、まとめて、一つ一つの画像データに音声データを録音して対応させる方法も考えられるが、記憶に頼るしかなく、間違えることも多く非常に面倒であった。
【０００５】
本発明の課題は、複数の画像データに対して音声データを容易に録音して関連付けることである。より具体的には、複数の撮影操作によりそれぞれ撮影された複数の画像データに対して音声データを容易に録音して関連付けることである。また、再生された複数の画像データに対して１つの音声データを容易に録音して関連付けることである。また、再生される複数の画像データに対して、撮影時に設定される設定区切り情報のタイミングで１つの音声データを容易に録音して関連付けることである。
【課題を解決するための手段】
【０００６】
以上の課題を解決するために、請求項１に記載の発明は、
操作入力を受け付ける操作手段と、
被写体を撮影して画像データを生成する撮影手段と、
音声を録音して音声データを生成する録音手段と、
情報を記録する記録手段と、
前記操作手段を介する１回の撮影操作に基づいて前記撮影手段に１つの画像データを撮影させることを繰り返し、その複数の画像データの撮影後に、前記録音手段に録音させて、その録音した音声データと前記複数の画像データとを関連付けて前記記録手段に記録する制御手段と、を備えることを特徴とする撮影装置である。
【０００７】
請求項２に記載の発明は、請求項１に記載の撮影装置において、
前記制御手段は、前記記録手段に画像データを記録するための空き容量がなくなった場合に、又は所定数の画像データが撮影された場合に、前記録音手段に録音させることを特徴とする。
【０００８】
請求項３に記載の発明は、請求項１に記載の撮影装置において、
前記制御手段は、前記操作手段を介して録音指示が入力された場合に、前記録音手段に録音させることを特徴とする。
【０００９】
請求項４に記載の発明は、請求項１から３のいずれか一項に記載の撮影装置において、
前記制御手段は、前記音声データを前記記録手段に記録する場合に、その音声データの録音位置を示す録音位置情報を前記音声データとともに前記記録手段に記録し、新たに音声データと画像データとを関連付ける場合に、前記記録手段に記録された前回の録音位置情報を参照し、その前回の録音位置以後に撮影された複数の画像データと前記音声データとを関連付けることを特徴とする。
【００１０】
請求項５に記載の発明は、
操作入力を受け付ける操作手段と、
被写体を撮影して画像データを生成する撮影手段と、
音声を録音して音声データを生成する録音手段と、
情報を記録する記録手段と、
前記操作手段を介する撮影操作に基づいて前記撮影手段に複数の画像データを撮影させ、その撮影とともに、画像データの再生時に録音させる位置を示す区切り情報の生成指示入力を前記操作手段を介して受け付け、その区切り情報を生成して前記複数の画像データとともに前記記録手段に記録する制御手段と、を備えることを特徴とする撮影装置である。
【００１１】
請求項６に記載の発明は、
画像データを表示する表示手段と、
音声を録音して音声データを生成する録音手段と、
情報を記録する記録手段と、
前記表示手段に複数の画像データを再生させた後に、前記録音手段に録音させて、その録音した音声データと前記再生された複数の画像データとを関連付けて前記記録手段に記録する制御手段とを備えることを特徴とする再生装置である。
【００１２】
請求項７に記載の発明は、請求項６に記載の再生装置において、
操作入力を受け付ける操作手段を備え、
前記制御手段は、前記表示手段により再生される画像データのうちから、前記録音した音声データと関連付ける複数の画像データの選択入力を前記操作手段を介して受け付け、当該選択された複数の画像データと、前記音声データとを関連付けることを特徴とする。
【００１３】
請求項８に記載の発明は、
画像データを表示する表示手段と、
音声を録音して音声データを生成する録音手段と、
情報を記録する記録手段と、
複数の画像データを前記表示手段に再生させ、画像データの再生時に録音させる位置を示す区切り情報が設定されている場合に、当該区切り情報に基づいて、前記録音手段に録音させ、その録音した音声データと、前記区切り情報により区切られた複数の画像データとを関連付けて前記記録手段に記録する制御手段と、を備えることを特徴とする再生装置である。
【００１４】
請求項９に記載の発明は、
コンピュータに、
操作入力を受け付ける機能と、
１回の撮影操作に基づいて１つの画像データを撮影することを繰り返す機能と、
その複数の画像データの撮影後に、音声を録音し、その録音した音声データと前記複数の画像データとを関連付けてメモリに記録する制御機能と、
を実現させるための撮影プログラムである。
【００１５】
ここに、コンピュータとは、バスで接続されたＣＰＵ、ＲＯＭ、ＲＡＭ及びＩ／Ｏを基本構成とする装置であって、マイクロコンピュータ、マイクロプロセッサ等を含み、その組み込み先装置の如何（例えばデジタルカメラ、携帯電話、ＰＨＳ（Personal Handyphone System）、ＰＤＡ（Personal Digital Assistants）、パソコン（ＰＣ:Personal Computer）、ＤＶＤプレーヤ、ＤＶＤレコーダ、ゲーム機、ポータブルディスクライタ、ホームサーバ、ホームサーバ、ゲーム機、センタサーバ、ポータブルＨＤＤ装置、カーナビゲーションシステムなど）を問わない。したがって、本発明にかかるプログラムは上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下同様）。
【００１６】
請求項１０に記載の発明は、請求項９に記載の撮影プログラムにおいて、
前記制御機能は、前記メモリに画像データを記録するための空き容量がなくなった場合に、又は所定数の画像データが撮影された場合に、前記録音をすることを特徴とする。
【００１７】
請求項１１に記載の発明は、請求項９に記載の撮影プログラムにおいて、
前記制御機能は、録音指示が操作入力された場合に、前記録音をすることを特徴とする。
【００１８】
請求項１２に記載の発明は、請求項９から１１のいずれか一項に記載の撮影プログラムにおいて、
前記制御機能は、前記音声データを記録する場合に、その音声データの録音位置を示す録音位置情報を前記音声データとともに前記メモリに記録し、新たに音声データと画像データとを関連付ける場合に、前記メモリに記録された前回の録音位置情報を参照し、その録音位置以後に撮影された複数の画像データと前記音声データとを関連付けることを特徴とする。
【００１９】
請求項１３に記載の発明は、
コンピュータに、
操作入力を受け付ける機能と、
撮影操作に基づいて複数の画像データを撮影する機能と、
その撮影とともに、画像データの再生時に録音させる位置を示す区切り情報の生成指示入力を受け付け、その区切り情報を生成して前記複数の画像データとともにメモリに記録する制御機能と、
を実現させるための撮影プログラムである。
【００２０】
請求項１４に記載の発明は、
コンピュータに、
複数の画像データを表示して再生する機能と、
前記複数の画像データを再生させた後に、音声を録音し、その録音した音声データと前記再生された複数の画像データとを関連付けてメモリに記録する制御機能と、
を実現させるための再生プログラムである。
【００２１】
請求項１５に記載の発明は、請求項１４に記載の再生プログラムにおいて、
前記コンピュータに、
操作入力を受け付ける機能を実現させ、
前記制御機能は、前記再生される画像データのうちから、前記録音した音声データと関連付ける複数の画像データの選択入力を受け付け、当該選択された複数の画像データと、前記音声データとを関連付けることを特徴とする。
【００２２】
請求項１６に記載の発明は、
コンピュータに、
複数の画像データを表示して再生させる機能と、
画像データの再生時に録音させる位置を示す区切り情報が設定されている場合に、当該区切り情報に基づいて、録音し、その録音した音声データと、前記区切り情報により区切られた複数の画像データとを関連付けて前記メモリに記録する制御機能と、
を実現させるための再生プログラムである。
【発明の効果】
【００２３】
請求項１又は９に記載の発明によれば、複数の撮影操作それぞれにより複数の画像データを撮影し、その後に録音し、複数の画像データと録音した音声データとを関連付けて記録するので、複数の撮影操作により撮影された複数の画像データに対して１つの音声データを容易に録音して関連付けることができるとともに、画像データと音声データとを関連付ける煩雑な操作を低減できる。
【００２４】
請求項２又は１０に記載の発明によれば、画像データを記録するための空き容量がなくなった場合に、又は所定数の画像データが撮影された場合に録音するので、好ましいタイミングで自動的に録音できる。
【００２５】
請求項３又は１１に記載の発明によれば、録音指示が操作入力された場合に録音するので、ユーザの所望のタイミングで録音できる。
【００２６】
請求項４又は１２に記載の発明によれば、新たに音声データを複数の画像データに関連付ける場合に、記録された前回の録音位置情報を参照し、その録音位置以後に撮影された画像データと音声データとを関連付けるので、録音対象の複数の画像データを自動的に選択して音声データと関連付けできる。
【００２７】
請求項５又は１３に記載の発明によれば、画像データの撮影中に、生成指示入力により区切り情報を生成して複数の画像データとともに記録するので、撮影された画像データの再生時に、区切り情報に対応するタイミングで録音し、複数の画像データに対して１つの音声データを容易に録音して関連付けることができるとともに、画像データと音声データとを関連付ける煩雑な操作を低減できる。
【００２８】
請求項６又は１４に記載の発明によれば、複数の画像データを再生し、その後に録音し、複数の画像データに関連付けて音声データを録音して記録するので、再生後の複数の画像データに対して１つの音声データを容易に録音して関連付けることができるとともに、画像データ及び音声データを関連付ける煩雑な操作を低減できる。
【００２９】
請求項７又は１５に記載の発明によれば、再生される画像データのうちから、音声データと関連付ける画像データを複数選択入力でき、その選択された複数の画像データと、音声データとを関連付けるので、ユーザの所望の複数の画像データを音声データと関連付けできる。
【００３０】
請求項８又は１６に記載の発明によれば、複数の画像データの再生時に、区切り情報に対応するタイミングで録音し、再生された複数の画像データと音声データとを関連付けて記録するので、撮影時に設定された区切り情報に対応するタイミングで、再生された複数の画像データに対して１つの音声データを容易に録音して関連付けることができるとともに、画像データと音声データとを関連付ける煩雑な操作を低減できる。
【発明を実施するための最良の形態】
【００３１】
以下、添付図を参照して本発明に係る第１、第２、第３、第４及び第５の実施の形態を詳細に説明する。ただし、発明の範囲は、図示例に限定されない。
【００３２】
（第１の実施の形態）
図１〜図５を参照して、本発明に係る第１の実施の形態を説明する。先ず、図１を参照して、本実施の形態の装置構成を説明する。図１に、本実施の形態のデジタルカメラ１００の機能的構成を示す。
【００３３】
図１に示すように、撮影装置としてのデジタルカメラ１００は、制御手段としてのメイン制御手段１と、撮影制御手段２と、撮影ボタン３と、撮影手段４と、録音制御手段５と、録音手段６と、画像処理手段７と、表示手段８と、記録制御手段９と、記録手段１０と、操作手段１１と、プログラムメモリ１２と、音声再生手段１３と、を備えて構成される。
【００３４】
メイン制御手段１は、ＣＰＵ（Central Processing Unit）及びＲＡＭ（Random Access Memory）を備え、プログラムメモリ１２に格納されたプログラムを読み出し、そのプログラムをＲＡＭに格納し、ＣＰＵと、ＲＡＭ内のプログラムのとの協働により、デジタルカメラ１００の各部を統括的に制御する。
【００３５】
撮影制御手段２は、撮影ボタン３から入力される撮影動作指示情報と、メイン制御手段１からの制御情報とに基づいて、撮影動作を実行するよう撮影手段４を制御するとともに、撮影に関する情報をメイン制御手段１に出力する。
【００３６】
撮影ボタン３は、撮影指示を入力するための入力手段（シャッターボタン）であり、ユーザに押下された場合に、撮影制御手段２に撮影動作指示情報を出力する。撮影ボタン３は、操作手段１１に含まれてもよい。
【００３７】
撮影手段４は、レンズなどの光学系と、ＣＣＤ（Charge Coupled Device）、Ａ／Ｄ変換器などの画像読取手段とを含んで構成され、光学系を介して入射された被写体の撮影画像をＣＣＤにより電気信号（アナログ信号）に光電変換し、このアナログ信号をＡ／Ｄ変換器によりデジタル信号に変換して画像データを生成する。
【００３８】
録音制御手段５は、メイン制御手段１からの制御情報に従って、音声の録音動作を実行するよう録音手段６を制御する。
【００３９】
録音手段６は、マイクロホン、Ａ／Ｄ変換器等により構成され、マイクロホンから入力された音声をＡ／Ｄ変換器によりデジタル信号に変換して音声データを生成する。
【００４０】
画像処理手段７は、撮影手段４により撮影された静止画像データに画像処理を施し、メイン制御手段１に出力する。
【００４１】
表示手段８は、ＬＣＤ（Liquid Crystal Display）、ＥＬ（ElectroLuminescent Display）などを備え、メイン制御手段１から入力される表示制御信号に従って、所要の表示処理を行う。また、表示手段８は、撮影手段４により撮影されるスルー画像を表示するファインダとしての機能を有する。
【００４２】
記録制御手段９は、メイン制御手段１の制御に従って、撮影手段４により撮影された静止画像データ及び録音手段６により記録された音声データを記録手段１０に記録する。
【００４３】
記録手段１０は、静止画像データ及び音声データを記録するためのメモリである。記録手段１０としては、スマートメディア、コンパクトフラッシュ（登録商標）、メモリースティック（登録商標）、ＳＤ（Secure Digital）メモリーカード、マルチメディアカード等の携帯式のメモリと、フラッシュメモリなどの固定式のメモリとを備える。
【００４４】
操作手段１１は、各種キー等により構成され、ユーザによる各キーの押下による操作信号をメイン制御手段１に出力する。また、操作手段１１には、例えば、各種設定、撮影モードや再生モードなどのモード切り替えなどが操作入力される。モードには、撮影だけを行う撮影モード、撮影及び録音を行う撮影録音モード、撮影した画像データを再生する再生モード、再生及び録音を行う再生録音モードなどがあるものとする。
【００４５】
プログラムメモリ１２は、メイン制御手段１が実行するための各種プログラムを記憶している。音声再生手段１３は、増幅器、スピーカ等から構成され、音声データを再生出力する。
【００４６】
次に、図２を参照して、本実施の形態における画像データと音声データとの関連付けパターンを説明する。図２に、画像データと音声データとの関連付けパターン例を示し、（ａ）に複数の画像データと音声データとの関連付けパターン例を示し、（ｂ）に複数の画像データ群と各音声データとの関連付けパターン例を示す。
【００４７】
本実施の形態においては、複数の撮影操作によりそれぞれ撮影された複数の画像データと、この画像データに対応する録音された１つの音声データとが関連付けられて、記録手段１０の記録媒体に記録される。例えば、複数の一連の画像データをスライドショー表示再生する場合に、同一の音声データを出力させるためである。例えば、図２（ａ）に示すように、９回の撮影操作により撮影された９つの画像データＰ１〜Ｐ９と、１つの音声データＷ１とが関連付けられる。
【００４８】
また、全画像データのうちのある複数の画像データからなる画像データ群を考えた場合に、各画像データ群にそれぞれ１つの音声データを関連付けさせる構成としてもよい。例えば、図２（ｂ）に示すように、画像データＰ１１〜Ｐ１３からなる画像データ群に音声データＷ１１が関連付られ、画像データＰ１４，Ｐ１５からなる画像データ群に音声データＷ１２が関連付られ、画像データＰ１６，Ｐ１７からなる画像データ群に音声データＷ１３が関連付られる。
【００４９】
次に、図３〜図５を参照して、デジタルカメラ１００の動作を説明する。図３に、第１の撮影録音処理を示す。図４に、第１の撮影録音処理における録音のタイミングを示す。図５に、複数の画像ファイルと１つの音声ファイルとの関連付け形式パターン例を示し、（ａ）に音声ファイルのファイル名による関連付け形式パターン例を示し、（ｂ）に音声ファイルのファイル名による関連付け形式パターンの別例を示し、（ｃ）に関連付けファイルによる関連付け形式パターン例を示し、（ｄ）にフォルダ構造による関連付け形式パターン例を示す。
【００５０】
図３を参照して、デジタルカメラ１００において実行される第１の撮影録音処理を説明する。第１の撮影録音処理は、撮影録音モードにおいて、複数の画像データの撮影とともに、当該複数の画像データに対応する音声をアフレコ（アフターレコーディング）録音する処理である。デジタルカメラ１００において、ユーザにより操作手段１１を介して撮影録音モードが入力されたことをトリガとして、メイン制御手段１により、第１の撮影録音プログラムがプログラムメモリ１２から適宜読み出されて第１の撮影録音処理が実行される。
【００５１】
予め、記録手段１０内の記録媒体内において、画像データ記録用の記録領域と、音声データ記録用の記録領域とが別に設定されているものとする。
【００５２】
先ず、撮影制御手段２の撮影制御により、ユーザによる撮影ボタン３の押下をトリガとして、撮影手段４で被写体が撮影され１つの静止画像データが生成され、記録制御手段９の記録制御により、撮影された画像データが記録手段１０内の記録媒体に記録される（ステップＳ１１）。そして、記録手段１０内の記録媒体内に画像データ記録用の空き領域があるか否かが判別される（ステップＳ１２）。
【００５３】
記録媒体内に画像データ記録用の空き領域がある場合（ステップＳ１２；ＹＥＳ）、ユーザにより操作手段１１を介して撮影終了が入力されたか否かが判別される（ステップＳ１３）。撮影終了が入力されていない場合（ステップＳ１３；ＮＯ）、ステップＳ１１に移行される。
【００５４】
撮影終了が入力された場合（ステップＳ１３；ＹＥＳ）、又は、記録媒体内に画像データ記録用の空き領域がない場合（ステップＳ１２；ＮＯ）、アフレコ録音の実行を示すメッセージが表示手段８に表示される（ステップＳ１４）。そして、録音制御手段５の録音制御により、録音手段６でユーザの音声、環境音などの録音対象の音声が録音され１つの音声データが生成され、記録制御手段９の記録制御により、録音された音声データが、撮影された画像データに関連付けられて記録手段１０内の記録媒体に記録され（ステップＳ１５）、第１の撮影録音処理が終了される。
【００５５】
第１の撮影録音処理は、例えば、図４に示すように、先ず、撮影Ａ１〜Ａ１５が順に行われる。撮影Ａ１〜Ａ１５をそれぞれ静止画像データ一枚の撮影とする。撮影Ａ１〜Ａ１５で撮影された１５個の画像データが記録手段１０に記録されて空き容量がなくなった場合に、アフレコ録音を実行するメッセージが表示されて、アフレコ録音され、前記１５枚の画像データに１つの音声データが関連付けられて記録手段１０に記録される。
【００５６】
ここで、図５を参照して、複数の画像データと１つの音声データとの関連付け形式パターンを説明する。ここでは、４つの画像データとしての４つの画像ファイルImage001.jpg〜Image004.jpgに１つの音声データとしての音声ファイルを関連付けする場合を説明する。
【００５７】
例えば、図５（ａ）に示すように、画像ファイルImage001.jpg〜Image004.jpgの各ファイル名を識別するファイル名がつけられた音声ファイルImage001-004.wavを画像ファイルImage001.jpg〜Image004.jpgとともに記録して関連付ける構成とする。また、図５（ｂ）に示すように、画像ファイルImage001.jpg〜Image004.jpgの最終ファイル名Image004.jpgを識別するファイル名がつけられた音声ファイルImage004.wavを、画像ファイルImage001.jpg〜Image004.jpgとともに記録して関連付ける構成としてもよい。
【００５８】
また、図５（ｃ）に示すように、画像ファイルImage001.jpg〜Image004.jpgと、音声ファイルSound001.wavとが関連付けられている旨が記載されたテキストファイルとしての関連付けファイルInfo001.txtを、画像ファイルImage001.jpg〜Image004.jpg及び音声ファイルSound001.wavとともに記録して関連付ける構成としてもよい。
【００５９】
また、図５（ｄ）に示すように、フォルダ（又はディレクトリ）ROLL001内に、画像ファイルImage001.jpg〜Image004.jpg及び音声ファイルSound001.wavを格納し、フォルダROLL001内の画像データ及び音声ファイルが関連付けられることを示す構成としてもよい。
【００６０】
以上、本実施の形態によれば、デジタルカメラ１００において、撮影ボタン３を介する複数の撮影操作それぞれにより複数の画像データを撮影手段４で撮影し、その後に録音手段６で録音し、複数の画像データと録音した音声データとを関連付けて記録手段１０に記録するので、複数の撮影操作によりそれぞれ撮影された複数の画像データに対して１つの音声データを容易に録音して関連付けることができるとともに、画像データ及び音声データを関連付ける煩雑な操作を低減できる。
【００６１】
また、記録手段１０に画像データを記録するための空き容量がなくなった場合に、録音手段６において録音するので、好ましいタイミングで自動的に録音できる。
【００６２】
なお、本実施の形態においては、記録手段１０に画像データの空き容量がなくなった場合を録音開始のトリガとしたがこれに限定されるものではない。例えば、予め設定された所定数の画像データが撮影されたことをトリガとする構成などとしてもよい。
【００６３】
（第２の実施の形態）
図６及び図７を参照して、本発明に係る第２の実施の形態を説明する。本第２の実施の形態の装置構成は、第１の実施の形態のデジタルカメラ１００と同様であるので、その説明を省略する。
【００６４】
次に、図６及び図７を参照して、デジタルカメラ１００の動作を説明する。図６に、第２の撮影録音処理を示す。図７に、第２の撮影録音処理における録音のタイミングを示す。
【００６５】
図６を参照して、デジタルカメラ１００において実行される第２の撮影録音処理を説明する。第２の撮影録音処理は、撮影録音モードにおいて、複数の画像データの撮影とともに、当該複数の画像データに対応する音声をマニュアルでアフレコ録音する処理である。デジタルカメラ１００において、ユーザにより操作手段１１を介して撮影録音モードが入力されたことをトリガとして、メイン制御手段１により、第２の撮影録音プログラムがプログラムメモリ１２から適宜読み出されて第２の撮影録音処理が実行される。
【００６６】
先ず、撮影制御手段２の撮影制御により、ユーザによる撮影ボタン３の押下をトリガとして、撮影手段４で被写体が撮影され１つの静止画像データが生成され、記録制御手段９の記録制御により、撮影された画像データが記録手段１０内の記録媒体に記録される（ステップＳ２１）。そして、ユーザによる操作手段１１を介する録音操作入力がなされたか否かが判別される（ステップＳ２２）。
【００６７】
録音操作入力がなされた場合（ステップＳ２２；ＹＥＳ）、記録制御手段９の制御により、記録手段１０に記録された前回の録音終了の位置を示す録音位置情報が読み出され、当該前回の録音位置情報の位置よりも後に撮影された全ての画像データに対応して、録音制御手段５の録音制御により、録音手段６で録音対象の音声が録音され１つの音声データが生成され、記録制御手段９の記録制御により、録音された音声データが、撮影された画像データに関連付けられて記録手段１０内の記録媒体に記録される（ステップＳ２３）。録音位置情報は、録音位置として日時情報などの時間的な位置を示すものや、録音終了時の画像データ名を示すものなどとして構成される。
【００６８】
そして、ステップＳ２３に対応して、現在の録音位置を示す録音位置情報が生成されて、記録制御手段９の記録制御により、前記生成された録音位置情報が記録制御手段９に記録される（ステップＳ２４）。そして、ユーザにより操作手段１１を介して撮影終了が入力されたか否かが判別される（ステップＳ２５）。録音操作入力がなされていない場合（ステップＳ２２；ＮＯ）、ステップＳ２５に移行される。撮影終了が入力されていない場合（ステップＳ２５；ＮＯ）、ステップＳ２１に移行される。撮影終了が入力された場合（ステップＳ２５；ＹＥＳ）、第２の撮影録音処理が終了される。
【００６９】
第２の撮影録音処理は、例えば、図７に示すように、先ず、撮影Ａ１１〜Ａ２５が順に行われる。撮影Ａ１１〜Ａ２５をそれぞれ静止画像データ一枚の撮影とする。また、撮影Ａ１１の手前でアフレコ録音され、その録音位置情報が記録手段１０に記録されているものとする。撮影Ａ１１〜Ａ２５が順に行われ、撮影Ａ２５の終了のタイミングで、操作手段１１を介して録音操作入力がなされると、撮影Ａ１１〜Ａ２５で撮影された１５個の画像データに対応して、アフレコ録音され、前記１５個の画像データに１つの音声データが関連付けられて記録手段１０に記録される。さらに、撮影Ａ２５の後のその録音位置情報が記録手段１０に記録される。
【００７０】
以上、本実施の形態によれば、操作手段１１を介して録音指示が操作入力された場合に、録音手段６において録音するので、ユーザの所望のタイミングで録音できる。
【００７１】
また、音声データを複数の画像データに関連付ける場合に、記録手段１０に記録された前回の録音位置情報を参照し、その録音位置以後に撮影された複数の画像データと音声データとを関連付けるので、録音対象の複数の画像データを自動的に選択して音声データと関連付けできる。
【００７２】
（第３の実施の形態）
図８及び図９を参照して、本発明に係る第３の実施の形態を説明する。本第３の実施の形態の装置構成は、第１の実施の形態のデジタルカメラ１００と同様であるので、その説明を省略する。
【００７３】
次に、図８及び図９を参照して、再生装置としてのデジタルカメラ１００の動作を説明する。図８に、第１の再生録音処理を示す。図９に、第１の再生録音処理における録音のタイミングを示す。
【００７４】
図８を参照して、デジタルカメラ１００において実行される第１の再生録音処理を説明する。第１の再生録音処理は、再生録音モードにおいて、既に撮影済の複数の画像データを再生後に、当該複数の画像データに対応する音声を自動的にアフレコ録音する処理である。予め、デジタルカメラ１００において、撮影モードで複数の画像データが撮影されて記録手段１０内の記録媒体に記録されているものとする。そして、デジタルカメラ１００において、ユーザにより操作手段１１を介して再生録音モードが入力されたことをトリガとして、メイン制御手段１により、第１の再生録音プログラムがプログラムメモリ１２から適宜読み出されて第１の再生録音処理が実行される。
【００７５】
先ず、記録制御手段９の制御により、記録手段１０の記録媒体に記録された撮影済で再生対象の複数の画像データが読み出されて、表示手段８に順に表示再生される（ステップＳ３１）。複数の画像データの再生は、例えば、スライドショー形式で、所定時間の等間隔で順に画像データを表示再生する構成とするが、等間隔でないものとしてもよい。また、画面上に複数の画像データを同時に表示再生する構成などとしてもよい。
【００７６】
そして、再生対象の全ての画像データが表示再生されて再生が終了されたか否かが判別される（ステップＳ３２）。再生が終了されていない場合（ステップＳ３２；ＮＯ）、ステップＳ３１に移行される。再生が終了された場合（ステップＳ３２；ＹＥＳ）、アフレコ録音の実行を示すメッセージが表示手段８に表示される（ステップＳ３３）。そして、再生された画像データに対応して、録音制御手段５の録音制御により、録音手段６で録音対象の音声が録音され１つの音声データが生成され、記録制御手段９の記録制御により、録音された音声データと、再生された複数の画像データとが関連付けられて記録手段１０内の記録媒体に記録され（ステップＳ３４）、第１の再生録音処理が終了される。
【００７７】
第１の再生録音処理は、例えば、図９に示すように、先ず、静止画の画像データＰ２１〜Ｐ３５が所定間隔で順に表示再生される。画像データＰ３５が最後の再生データとする。そして、画像データＰ３５の表示終了（全ての画像データの再生終了）のタイミングで、アフレコ録音メッセージが表示手段８に表示され、再生された１５個の画像データＰ２１〜Ｐ３５に対応して、アフレコ録音され、前記１５個の画像データに１つの音声データが関連付けられて記録手段１０に記録される。
【００７８】
以上、本実施の形態によれば、複数の画像データを表示手段８で再生し、その後に録音手段６で録音し、再生された複数の画像データと録音された音声データとを記録手段１０に記録するので、再生後の複数の画像データに対して１つの音声データを容易に録音して関連付けることができるとともに、画像データ及び音声データを関連付ける煩雑な操作を低減できる。
【００７９】
なお、本実施の形態では、デジタルカメラ１００を、撮影機能と、画像データの再生機能とを有するものとして構成したが、別々の撮影装置と再生装置として構成してもよい。また、以下の第４及び第５の実施の形態でも同様である。
【００８０】
（第４の実施の形態）
図１０〜図１２を参照して、本発明に係る第４の実施の形態を説明する。本第４の実施の形態の装置構成は、第１の実施の形態のデジタルカメラ１００と同様であるので、その説明を省略する。
【００８１】
次に、図１０〜図１２を参照して、撮影装置及び再生装置としてのデジタルカメラ１００の動作を説明する。図１０に、撮影処理を示す。図１１に、第２の再生録音処理を示す。図１２に、第２の再生録音処理における録音のタイミングを示す。
【００８２】
図１０を参照して、デジタルカメラ１００において実行される撮影処理を説明する。撮影処理は、撮影モードにおいて、複数の画像データの撮影とともに、複数の録音位置を区切る区切り情報を設定する処理である。デジタルカメラ１００において、ユーザにより操作手段１１を介して撮影モードが入力されたことをトリガとして、メイン制御手段１により、撮影プログラムがプログラムメモリ１２から適宜読み出されて撮影処理が実行される。
【００８３】
先ず、撮影制御手段２の撮影制御により、ユーザによる撮影ボタン３の押下をトリガとして、撮影手段４で被写体が撮影され１つの静止画像データが生成され、記録制御手段９の記録制御により、撮影された画像データが記録手段１０内の記録媒体に記録される（ステップＳ４１）。そして、ユーザにより操作手段１１を介して録音の区切り位置を示す区切り情報の設定が入力されたか否かが判別される（ステップＳ４２）。区切り情報の設定が入力された場合（ステップＳ４２；ＹＥＳ）、複数の画像データを１区切りとして各区切り内の最後の画像データの再生位置を区切り位置として示す区切り情報が生成され、記録制御手段９の記録制御により、生成された区切り情報が記録手段１０に記録される（ステップＳ４３）。
【００８４】
そして、ユーザにより操作手段１１を介して撮影終了が入力されたか否かが判別される（ステップＳ４４）。区切り情報の設定が入力されていない場合（ステップＳ４２；ＮＯ）、ステップＳ４４に移行される。撮影終了が入力されていない場合（ステップＳ４４；ＮＯ）、ステップＳ４１に移行される。撮影終了が入力された場合（ステップＳ４４；ＹＥＳ）、撮影処理が終了される。
【００８５】
次いで、図１１を参照して、デジタルカメラ１００において実行される第２の再生録音処理を説明する。第２の再生録音処理は、再生録音モードにおいて、既に撮影済の複数の画像データ再生中に、区切り情報に基づいて、当該複数の画像データに対応する音声を自動的にアフレコ録音する処理である。予め、デジタルカメラ１００において、上記撮影処理が実行されているものとする。そして、デジタルカメラ１００において、ユーザにより操作手段１１を介して再生録音モードが入力されたことをトリガとして、メイン制御手段１により、第２の再生録音プログラムがプログラムメモリ１２から適宜読み出されて第２の再生録音処理が実行される。
【００８６】
先ず、記録制御手段９の制御により、記録手段１０の記録媒体に記録された撮影済で再生対象の複数の画像データが読み出されて、表示手段８に順に表示再生される（ステップＳ５１）。ステップＳ５１では、１つの画像データが再生されるものとする。
【００８７】
そして、記録制御手段９の制御により、記録手段１０の記録媒体に記録された区切り情報が読み出されて、現在の再生位置に対応する区切り情報があるか否かが判別される（ステップＳ５２）。区切り情報がある場合（ステップＳ５２；ＹＥＳ）、区切り情報に対応する（前回の区切り情報の区切り位置後から現在の区切り情報の区切り位置までの）再生された画像データに対応して、録音制御手段５の録音制御により、録音手段６で録音対象の音声が録音され１つの音声データが生成され、記録制御手段９の記録制御により、録音された音声データと、再生された複数の画像データとが関連付けられて記録手段１０内の記録媒体に記録される（ステップＳ５３）。
【００８８】
そして、ユーザにより操作手段１１を介して撮影終了が入力されたか否かが判別される（ステップＳ５４）。区切り情報がない場合（ステップＳ５２；ＮＯ）、ステップＳ５４に移行される。撮影終了が入力されていない場合（ステップＳ５４；ＮＯ）、ステップＳ５１に移行される。撮影終了が入力された場合（ステップＳ５４；ＹＥＳ）、第２の再生録音処理が終了される。
【００８９】
第２の再生録音処理は、例えば、図１２に示すように、静止画の画像データＰ４１〜Ｐ５８が所定間隔で順に表示再生される。そして、画像データＰ４３の表示終了のタイミングで、３つの画像データＰ４１〜Ｐ４３に対応する区切り情報Ｂ１に対応して、アフレコ録音され、前記３つの画像データに１つの音声データが関連付けられて記録手段１０に記録される。区切り情報Ｂ２についても同様である。区切り情報Ｂ３についても同様に、画像データＰ５８の表示終了のタイミングで、４つの画像データＰ５５〜Ｐ５８に対応する区切り情報Ｂ３に対応して、アフレコ録音され、前記４つの画像データに１つの音声データが関連付けられて記録手段１０に記録される。
【００９０】
以上、本実施の形態によれば、撮影手段４での撮影時に、操作手段１１を介する生成指示入力により区切り情報を生成して複数の画像データとともに記録手段１０に記録し、表示手段８での複数の画像データの再生時に、区切り情報に対応するタイミングに録音手段６で録音し、複数の画像データに対して１つの音声データを容易に録音して関連付けることができるとともに、画像データと音声データとを関連付ける煩雑な操作を低減できる。
【００９１】
（第５の実施の形態）
図１３及び図１４を参照して、本発明に係る第５の実施の形態を説明する。本第５の実施の形態の装置構成は、第１の実施の形態のデジタルカメラ１００と同様であるので、その説明を省略する。
【００９２】
次に、図１３及び図１４を参照して、再生装置としてのデジタルカメラ１００の動作を説明する。図１３に、第３の再生録音処理を示す。図１４に、第３の再生録音処理における画像データと音声データの関連付けの一例を示し、（ａ）に全ての画像データの配列パターン例を示し、（ｂ）に画像データの選択例を示し、（ｃ）に選択された画像データと音声データとの関連付け例を示す。
【００９３】
図１３を参照して、デジタルカメラ１００において実行される録音処理を説明する。録音処理は、撮影済の全ての画像データから複数の画像データを選択して、当該選択された画像データに対応する音声を自動的にアフレコ録音する処理である。予め、デジタルカメラ１００において、撮影モードで複数の画像データが撮影されて記録手段１０内の記録媒体に記録されているものとする。そして、デジタルカメラ１００において、ユーザにより操作手段１１を介して再生録音モードが入力されたことをトリガとして、メイン制御手段１により、第３の再生録音プログラムがプログラムメモリ１２から適宜読み出されて第３の再生録音処理が実行される。
【００９４】
先ず、記録制御手段９の制御により、記録手段１０の記録媒体に記録された撮影済で再生対象の全ての画像データが読み出されて、表示手段８に同時に表示再生される（ステップＳ６１）。そして、ユーザにより操作手段１１を介して音声データ付加対象の複数の画像データが選択入力される（ステップＳ６２）。
【００９５】
そして、ステップＳ６２において選択された複数の画像データに対応して、録音制御手段５の録音制御により、録音手段６で録音対象の音声が録音され１つの音声データが生成され、記録制御手段９の記録制御により、録音された音声データと、再生された複数の画像データとが関連付けられて記録手段１０内の記録媒体に記録され（ステップＳ６３）、第３の再生録音処理が終了される。
【００９６】
第３の再生録音処理は、例えば、図１４（ａ）に示すように、先ず、全ての静止画の画像データＰ６１〜Ｐ６９が表示される。そして、図１４（ｂ）に示すように、ユーザにより音声データ関連付け対象の複数の画像データＰ６１，Ｐ６２，Ｐ６４，Ｐ６６，Ｐ６９が選択される。そして、図１４（ｃ）に示すように、音声データＷ２１が録音されて、選択された画像データＰ６１，Ｐ６２，Ｐ６４，Ｐ６６，Ｐ６９に音声データＷ２１が関連付けられて記録手段１０に記録される。
【００９７】
以上、本実施の形態によれば、表示手段８において再生される画像データのうちから、音声データと関連付ける画像データを複数選択入力でき、その選択された複数の画像データと、録音手段６で生成された音声データとを関連付けるので、ユーザの所望の複数の画像データを音声データと関連付けることができる。
【００９８】
なお、上記第１、第２、第４の実施の形態において、撮影装置としてデジタルカメラ１００を用いる構成を説明したが、これに限定されるものではない。例えば、撮影装置として、少なくともデジタル撮影機能を有する機器であればよく、デジタル撮影機能を有する携帯電話機、ＰＨＳ、ＰＤＡなどの装置としてもよい。また、上記第３〜第５の実施の形態において、再生装置としてデジタルカメラ１００を用いる構成を説明したが、これに限定されるものではない。例えば、再生装置として、画像データの撮影機能を有する機器であればよく、ＰＣ、携帯電話機、ＰＨＳ、ＰＤＡ、ＨＤＤレコーダ、ＤＶＤレコーダ、ホームサーバ、ゲーム機、センタサーバ、ポータブルＨＤＤ装置、ポータブルディスクライタ（例えばポータブルＣＤ−Ｒライタなど）、カーナビゲーションシステムなどの、他の装置を用いることとしてもよい。
【００９９】
また、上記実施の形態における記述は、本発明に係る好適な撮影装置、再生装置、撮影プログラム及び再生プログラムの一例であり、これに限定されるものではない。
【図面の簡単な説明】
【０１００】
【図１】本発明に係る第１の実施の形態のデジタルカメラ１００の機能的構成を示すブロック図である。
【図２】画像データと音声データとの関連付けパターン例を示す図である。（ａ）は複数の画像データと音声データとの関連付けパターン例を示すを示す図である。（ｂ）は複数の画像データ群と各音声データとの関連付けパターン例をを示す図である。
【図３】第１の撮影録音処理を示すフローチャートである。
【図４】第１の撮影録音処理における録音のタイミングを示す図である。
【図５】複数の画像ファイルと１つの音声ファイルとの関連付け形式パターン例を示す図である。（ａ）は音声ファイルのファイル名による関連付け形式パターン例を示す図である。（ｂ）は音声ファイルのファイル名による関連付け形式パターンの別例を示す図である。（ｃ）は関連付けファイルによる関連付け形式パターン例を示す図である。（ｄ）はフォルダ構造による関連付け形式パターン例を示す図である。
【図６】第２の撮影録音処理を示すフローチャートである。
【図７】第２の撮影録音処理における録音のタイミングを示す図である。
【図８】第１の再生録音処理を示すフローチャートである。
【図９】第１の再生録音処理における録音のタイミングを示す図である。
【図１０】撮影処理を示すフローチャートである。
【図１１】第２の再生録音処理を示すフローチャートである。
【図１２】第２の再生録音処理における録音のタイミングを示す図である。
【図１３】第３の再生録音処理を示すフローチャートである。
【図１４】第３の再生録音処理における画像データと音声データの関連付けの一例を示す図である。（ａ）は全ての画像データの配列パターン例を示す図である。（ｂ）は画像データの選択例を示す図である。（ｃ）は選択された画像データと音声データとの関連付け例を示す図である。
【符号の説明】
【０１０１】
１００  デジタルカメラ１００
１１  メイン制御手段
２  撮影制御手段
３  撮影ボタン
４  撮影手段
５  録音制御手段
６  録音手段
７  画像処理手段
８  表示手段
９  記録制御手段
１０  記録手段
１１  操作手段
１２  プログラムメモリ
１３  音声再生手段
【図１】
2005341255.tif 000003
【図２】
2005341255.tif 000004
【図３】
2005341255.tif 000005
【図４】
2005341255.tif 000006
【図５】
2005341255.tif 000007
【図６】
2005341255.tif 000008
【図７】
2005341255.tif 000009
【図８】
2005341255.tif 000010
【図９】
2005341255.tif 000011
【図１０】
2005341255.tif 000012
【図１１】
2005341255.tif 000013
【図１２】
2005341255.tif 000014
【図１３】
2005341255.tif 000015
【図１４】
2005341255.tif 000016